【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
入力した撮影画像を処理する画像処理装置であって、
撮影画像の領域を指定する指定手段と、
撮影画像の撮影画角を取得する取得手段と、
撮影画像を出力する出力手段と
を備え、
前記出力手段が出力する撮影画像の撮影画角が、前記指定手段で指定した領域に対応する画角の少なくとも一部を含有する場合、前記出力手段は、撮影画像を出力することを特徴とする画像処理装置。
【請求項２】
撮影画像から切出領域を切り出す切出手段を更に備え、
前記切出手段は、前記出力手段が出力する撮影画像の撮影画角が、前記指定手段で指定した領域に対応する画角の少なくとも一部を含有する場合、その少なくとも一部を撮影画像から切り出し、
前記出力手段は、前記出力手段が出力する撮影画像の撮影画角が、前記指定手段で指定した領域に対応する画角の少なくとも一部を含有する場合、前記切り出し手段により切り出された撮影画像を出力することを特徴とする請求項１に記載の画像処理装置。
【請求項３】
入力した撮影画像を処理する画像処理装置であって、
撮影画像の領域を指定する指定手段と、
撮影画像の撮影画角を取得する取得手段と、
撮影画像から切出領域を切り出す切出手段と
を備え、
前記切出手段は、前記指定手段で領域が指定された撮影画像の撮影画角と、前記切出手段が切出領域を切り出す撮影画像の撮影画角とに応じて、撮影画像から切出領域を切り出すことを特徴とする画像処理装置。
【請求項４】
前記切出手段が切出領域を切り出す撮影画像の撮影画角が、前記指定手段で指定した領域に対応する画角の少なくとも一部を含有する場合、その少なくとも一部を前記切出手段は撮影画像から切り出すことを特徴とする請求項３に記載の画像処理装置。
【請求項５】
前記指定手段で領域が指定された撮影画像の撮影画角と、前記切出手段が切出領域を切り出す撮影画像の撮影画角との差に応じて、前記指定手段で指定された領域を調整する調整手段を更に備え、
前記切出手段は、前記調整手段により前記差に応じて調整された領域を撮影画像から切り出す
ことを特徴とする請求項３に記載の画像処理装置。
【請求項６】
前記切出手段が切出領域を切り出す撮影画像の撮影画角が、前記指定手段で指定した領域を含有しない場合、前記切出手段が切り出した切出領域の撮影画像を出力しない
ことを特徴とする請求項３乃至５のいずれか１項に記載の画像処理装置。
【請求項７】
入力した撮影画像を処理する画像処理装置の制御方法であって、
撮影画像の領域を指定する指定工程と、
撮影画像の撮影画角を取得する取得工程と、
撮影画像を出力する出力工程と
を備え、
前記出力工程で出力する撮影画像の撮影画角が、前記指定工程で指定した領域に対応する画角の少なくとも一部を含有する場合、前記出力工程では、撮影画像を出力することを特徴とする画像処理装置の制御方法。
【請求項８】
撮影画像から切出領域を切り出す切出工程を更に備え、
前記切出工程では、前記出力工程で出力する撮影画像の撮影画角が、前記指定工程で指定した領域に対応する画角の少なくとも一部を含有する場合、その少なくとも一部を撮影画像から切り出し、
前記出力工程では、前記出力工程で出力する撮影画像の撮影画角が、前記指定工程で指定した領域に対応する画角の少なくとも一部を含有する場合、前記切り出し工程で切り出された撮影画像を出力することを特徴とする請求項７に記載の画像処理装置の制御方法。
【請求項９】
入力した撮影画像を処理する画像処理装置の制御方法であって、
撮影画像の領域を指定する指定工程と、
撮影画像の撮影画角を取得する取得工程と、
撮影画像から切出領域を切り出す切出工程と
を備え、
前記切出工程では、前記指定工程で領域が指定された撮影画像の撮影画角と、前記切出工程で切出領域を切り出す撮影画像の撮影画角とに応じて、撮影画像から切出領域を切り出すことを特徴とする画像処理装置の制御方法。
【請求項１０】
前記切出工程で切出領域を切り出す撮影画像の撮影画角が、前記指定工程で指定した領域に対応する画角の少なくとも一部を含有する場合、その少なくとも一部を前記切出工程で撮影画像から切り出すことを特徴とする請求項９に記載の画像処理装置の制御方法。
【請求項１１】
前記指定工程で領域が指定された撮影画像の撮影画角と、前記切出工程で切出領域を切り出す撮影画像の撮影画角との差に応じて、前記指定工程で指定された領域を調整する調整工程を更に備え、
前記切出工程では、前記調整工程で前記差に応じて調整された領域を撮影画像から切り出す
ことを特徴とする請求項９に記載の画像処理装置の制御方法。
【請求項１２】
撮影画像の領域を指定する指定手段と、
撮影画像の撮影画角を取得する取得手段と、
影画像を出力する出力手段と
してコンピュータを機能させるプログラムであって、
前記出力手段が出力する撮影画像の撮影画角が、前記指定手段で指定した領域に対応する画角の少なくとも一部を含有する場合、前記出力手段は、撮影画像を出力するプログラム。
【請求項１３】
撮影画像から切出領域を切り出す切出手段としてを更にコンピュータを機能させ、
前記切出手段は、前記出力手段が出力する撮影画像の撮影画角が、前記指定手段で指定した領域に対応する画角の少なくとも一部を含有する場合、その少なくとも一部を撮影画像から切り出し、
前記出力手段は、前記出力手段が出力する撮影画像の撮影画角が、前記指定手段で指定した領域に対応する画角の少なくとも一部を含有する場合、前記切り出し手段により切り出された撮影画像を出力することを特徴とする請求項１２に記載のプログラム。
【請求項１４】
撮影画像の領域を指定する指定手段と、
撮影画像の撮影画角を取得する取得手段と、
撮影画像から切出領域を切り出す切出手段と
してコンピュータを機能させるプログラムであって、
前記切出手段は、前記指定手段で領域が指定された撮影画像の撮影画角と、前記切出手段が切出領域を切り出す撮影画像の撮影画角とに応じて、撮影画像から切出領域を切り出すプログラム。
【請求項１５】
前記切出手段が切出領域を切り出す撮影画像の撮影画角が、前記指定手段で指定した領域に対応する画角の少なくとも一部を含有する場合、その少なくとも一部を前記切出手段は撮影画像から切り出すことを特徴とする請求項１４に記載のプログラム。
【請求項１６】
前記指定手段で領域が指定された撮影画像の撮影画角と、前記切出手段が切出領域を切り出す撮影画像の撮影画角との差に応じて、前記指定手段で指定された領域を調整する調整手段してコンピュータを機能させるプログラムであって、
前記切出手段は、前記調整手段により前記差に応じて調整された領域を撮影画像から切り出す
ことを特徴とする請求項１４に記載のプログラム。
【手続補正２】
【補正対象書類名】明細書
【補正対象項目名】０００６
【補正方法】変更
【補正の内容】
【０００６】
上記の目的を達成するための本発明による画像処理装置は以下の構成を備える。即ち、
入力した撮影画像を処理する画像処理装置であって、
撮影画像の領域を指定する指定手段と、
撮影画像の撮影画角を取得する取得手段と、
撮影画像を出力する出力手段と
を備え、
前記出力手段が出力する撮影画像の撮影画角が、前記指定手段で指定した領域に対応する画角の少なくとも一部を含有する場合、前記出力手段は、撮影画像を出力する。
【手続補正３】
【補正対象書類名】図面
【補正対象項目名】図５
【補正方法】変更
【補正の内容】
【図５】
2015109522.tif 000001